(57)【特許請求の範囲】
【請求項１】
住戸インターホンと、カメラ付きロビーインターホンとを、インターホン回線によって接続し、かつそのインターホン回線を通じて、住戸インターホンを広域ネットワーク上のサーバ装置に接続させる機能を有したネットワーク対応型の集合住宅用インターホンシステムにおいて、
帰宅者の認証が成功したときには、ロビーインターホンのカメラを作動させて撮影した映像から帰宅者の画像ファイルを生成する帰宅者画像生成部と、
生成された帰宅者の画像ファイルに住戸識別情報を付加してインターホン回線に出力して、広域ネットワーク上のメール送信サーバ装置に保存させ、該サーバ装置から前記住戸識別情報に対応したメールアドレス宛に通知メールを送信させる帰宅者画像送信部と、
在宅または留守モードを設定するモード操作部を備え、在宅または留守モードを判別して、留守モードであれば、前記帰宅者の画像ファイルのインターホン回線を介したメール送信サーバ装置への送信を実行させる住戸インターホンとを備えている集合住宅用インターホンシステム。
【請求項２】
請求項１において、
前記帰宅者画像生成部は、ロビーインターホンに設けられ、
前記帰宅者画像送信部は、住戸インターホンに設けられている集合住宅用インターホンシステム。
【請求項３】
請求項１において、
前記帰宅者画像生成部、前記帰宅者画像送信部は、住戸インターホンに設けられている集合住宅用インターホンシステム。
【請求項４】
請求項１において、
前記帰宅者画像生成部、前記帰宅者画像送信部は、ロビーインターホンに設けられている集合住宅用インターホンシステム。
【請求項５】
請求項１〜４のいずれかにおいて、
メール送信サーバ装置は、住戸識別情報に対応させて通信端末のメールアドレスが予め登録されており、集合住宅用インターホンシステムから帰宅者の画像ファイルを受信すると、付加されている住戸識別情報を判別して、該帰宅者の画像を参照させるための通知メールを、対応した通信端末のメールアドレス宛に自動的に送信する集合住宅用インターホンシステム。
【発明の詳細な説明】
【技術分野】
【０００１】
本発明は、住棟の各部屋に設置される住戸インターホンをインターネットなどの広域ネットワーク上のサーバ装置に接続させる機能を有したネットワーク対応型のインターホンシステムの改良に関する。
【背景技術】
【０００２】
インターホンシステムに関する従来技術として、特許文献１には、ドアホンのカメラで撮像された画像と、マイクロホンで集音した通話音声とを、住戸インターホンに接続した録画転送コントローラによって広域ネットワーク上のセンター装置に転送し、そのセンター装置から携帯電話などに来客通知して、それらの画像、通話音声を閲覧させる構成が開示されている。
【先行技術文献】
【特許文献】
【０００３】
【特許文献１】特開2007-235604号公報
【発明の概要】
【発明が解決しようとする課題】
【０００４】
しかしながら、特許文献１は、戸建て住宅用のインターホンシステムに関するもので、マンションなどの集合住宅用のインターホンシステムについての記載はない。したがってこの技術を集合住宅用のインターホンシステムにそのまま適用しようとすれば、各部屋に録画転送コントローラを設ける必要があるなどコストが高くなるという問題があった。
【０００５】
そこで本発明は、ロビーインターホンが撮影した帰宅者の画像ファイルを、広域ネットワーク上のサーバ装置に転送し、そのセンター装置から住戸人の携帯電話などに通知メールを送信して、その画像を閲覧させる機能を低コストで実現した集合住宅用のインターホンシステムを提供することを目的とする。
【課題を解決するための手段】
【０００６】
住戸インターホンと、カメラ付きロビーインターホンとを、インターホン回線によって接続し、かつそのインターホン回線を通じて、住戸インターホンを広域ネットワーク上のサーバ装置に接続させる機能を有したネットワーク対応型の集合住宅用インターホンシステムにおいて、帰宅者の認証が成功したときには、ロビーインターホンのカメラを作動させて撮影した映像から帰宅者の画像ファイルを生成する帰宅者画像生成部と、生成された帰宅者の画像ファイルに住戸識別情報を付加してインターホン回線に出力して、広域ネットワーク上のメール送信サーバ装置に保存させ、該サーバ装置から前記住戸識別情報に対応したメールアドレス宛に通知メールを送信させる帰宅者画像送信部と、在宅または留守モードを設定するモード操作部を備え、在宅または留守モードを判別して、留守モードであれば、前記帰宅者の画像ファイルのインターホン回線を介したメール送信サーバ装置への送信を実行させる住戸インターホンとを備えている。
【０００７】
前記帰宅者画像生成部は、ロビーインターホンに設けられ、前記帰宅者画像送信部は、住戸インターホンに設けられてもよい。また前記帰宅者画像生成部、前記帰宅者画像送信部は、いずれも住戸インターホンに設けられてもよい。あるいは、前記帰宅者画像生成部、前記帰宅者画像送信部は、いずれもロビーインターホンに設けられてもよい。
【０００８】
住戸インターホンは、在宅または留守モードを設定するモード操作部を更に備えており、ロビーインターホンから帰宅者の画像ファイルを受信すると、在宅または留守モードを判別して、留守モードであれば、該帰宅者の画像ファイルをインターホン回線に出力して、広域ネットワーク上のメール送信サーバ装置に送信させてもよい。
【０００９】
メール送信サーバ装置は、住戸識別情報に対応させて通信端末のメールアドレスが予め登録されており、集合住宅用インターホンシステムから帰宅者の画像ファイルを受信すると、付加されている住戸識別情報を判別して、該帰宅者の画像を参照させるための通知メールを、対応した通信端末のメールアドレス宛に自動的に送信してもよい。
【発明の効果】
【００１０】
本発明によれば、集合住宅用インターホンシステムは、住戸の帰宅者画像を外部に転送させる際に、インターホン回線を通じて広域ネットワークに接続する構成としている。したがって特許文献１に記載されているような録画転送コントローラを部屋毎に設置して、それぞれを広域ネットワークに接続させる必要がなくコストが抑えられる。またプロバイダ契約も住棟一括で済むので、通信費も少なくて済む。
【図面の簡単な説明】
【００１１】
【図１】本発明によるインターホンシステムのブロック図である。
【図２】住戸インターホンの正面概略図である。
【図３】ロビーインターホンの正面概略図である。
【図４】インターホン回線での信号伝送を説明するための図である。
【図５】メール送信サーバ装置における住戸識別情報とメールアドレスとの関連付けを説明するための表である。
【図６】帰宅通知メールの例である。
【図７】基本動作を説明するためのフロー図である。
【発明を実施するための形態】
【００１２】
本発明のインターホンシステム１は、図１に示すように、カメラ１１ｋを有したドアホン１１ａを有した住戸インターホン１１と、ロビーインターホン１２とをインターホン回線１７によって接続している。そして、そのインターホン回線１７には、住戸インターホン１１を広域ネットワーク２０上の各種サーバ装置に接続させるためのゲートウェイ装置１５を備えた基本構成を有する。なお広域ネットワーク２０は、例としてインターネットを想定している。
【００１３】
またインターホンシステム１は、住戸インターホン１１とロビーインターホン１２との呼出、通話を制御する制御装置１４、管理人室機（警報監視盤）１３、帰宅した居住者を認証する認証装置１６などを備えている。
【００１４】
ドアホン１１ａに設けられるカメラ１１ｋに特に制限はなく、例えば３２０×２４０画素程度の解像度のカラーまたはモノクロ動画の映像信号を、アナログあるいはデジタル信号として出力すればよい。
【００１５】
ここに住戸インターホン１１は、住宅情報盤として構成されており、ドアホン１１ａ以外にもセキュリティセンサ（図示なし）などが接続されている。そして基本的な構成要素として、図２に示すように、タッチパネルで構成されたモニタ画面１１ｂ、メッセージランプ１１ｃ、通話キー１１ｄ、通話部を形成するスピーカ１１ｅ、マイク１１ｆなどを備えている。
【００１６】
そして更に本発明に係る構成要素として、留守または在宅モードを設定するモード操作部１１ｇ、帰宅者画像ファイルをメール送信サーバ装置２１に送信する画像送信部１１ｉとを備えている。
【００１７】
モード操作部１１ｇによって設定される留守モードは、外出中に不法侵入などを警報監視するためのモードで、ドアや窓などのセキュリティセンサが作動状態になる。一方在室モードは、その警報監視が解除されたモードである。本発明では、後述するように、ロビーインターホン１２のカメラ１２ｅで撮影した帰宅者画像を携帯電話機などで閲覧できるように動作するが、この動作は、基本的には留守モードのときだけで充分である。
【００１８】
画像送信部１１ｉは、ロビーインターホン１２から受信した帰宅者画像ファイルに住戸識別情報を付加してインターホン回線１７に出力して、ゲートウェイ装置１５によって広域ネットワーク２０上のメール送信サーバ装置２１に送信させる。
【００１９】
ロビーインターホン１２は図３に示すように、部屋番号などを表示する表示窓１２ａ、部屋番号を指定したり呼出操作したりするための操作部１２ｂ、通話部を構成するスピーカ１２ｃ、マイク１２ｄ、来客を撮影するカメラ１２ｅなどを備えている。ロビーインターホン１２には、認証装置１６に接続される認証操作部１６ａを一体あるいは別体として付設しておくとよい。この場合、認証装置１６による認証が成功すれば、ロビー扉の電気錠（図示なし）が自動的に解錠する。なお図ではロビーインターホン１２は１台であるが、住戸数に応じて複数台のロビーインターホン１２を設けることが望ましい。
【００２０】
またロビーインターホン１２は、本発明に係る構成要素として、カメラ１２ｅを作動させて撮影した映像から帰宅者画像ファイルを生成する画像生成部１２ｆを備える。このカメラ１２ｅは、ドアホン１１ａに設けられたカメラ１１ｋと同様のものでよい。画像生成部１２ｆは、認証装置１６による帰宅者の認証が成功すると、カメラ１２ｅを作動させて撮影した映像から帰宅者画像ファイルを生成する。帰宅者画像ファイルの生成は、具体的には、カメラ１２ｅが出力した映像信号から所定数のフレームを取り出して、例えばＪＰＥＧなどの静止画像ファイルに圧縮する。生成するファイル数に特に制限はない。
【００２１】
なお画像生成部１２ｆは、ロビーインターホン１２ではなく住戸インターホン１１に設けてもよい。この場合、ロビーインターホン１２は、カメラ１２ｅを作動させて撮影した映像信号を、住戸インターホン１１に送信し、住戸インターホン１１の画像生成部１１ｉが、ロビーインターホン１２から送信されてきた映像信号から、帰宅者画像を生成する。なお、別構成として画像生成部１２ｆ、画像送信部１１ｉは、いずれもロビーインターホン１２に設けてもよい。この場合は、ロビーインターホン１２に設けられた画像送信部１１ｉは、住戸インターホン１１に、住戸識別情報を問い合わせる。要するに、画像生成部１２ｆ、画像送信部１１ｉは、インターホンシステム１内に備えられていれば、その場所は特に限定されず、上記以外の構成として、制御装置１４に設けられていても構わない。
【００２２】
管理人室機１３は、選択した住戸インターホン１１あるいはロビーインターホン１２との通話ができ、また住戸インターホン１１から発信された異常発生信号を受け付けて所定の対応処理をなす装置である。そして基本的な構成要素として、モニタ画面、通話部を構成するハンドセット、異常報知手段を構成する警報ランプ、スピーカ（いずれも図示なし）などを備えている。
【００２３】
制御装置１４は、住戸インターホン１１と、ロビーインターホン１２あるいは管理人室機１３との信号伝送を制御する装置であって、住戸インターホン１１、ロビーインターホン１２、管理人室機１３は、この装置に接続されている。制御装置１４には、ゲートウェイ装置１５も接続されている。
【００２４】
ゲートウェイ装置１５は、全ての住戸インターホン１１によって共用される装置であって、住戸インターホン１１のそれぞれと、例えばメール送信サーバ装置２１などの広域ネットワーク２０上の通信装置との通信を中継する。この中継のための機能として、インターホン回線１７と、広域ネットワーク２０との間のプロトコル変換、アドレス変換などを行うことができる。
【００２５】
認証装置１６は、非接触式カードキーなどの認証媒体から読み取った認証情報と、登録されている認証情報とを対照して居住者を認証する装置であり、認証が成功したときには、認証操作部１６ａに対応した扉の電気錠を解錠する。例えばロビーインターホン１２に付設されている認証操作部１６ａの場合はロビー扉の電気錠を解錠するが、駐車場に設置されている認証操作部１６ａの場合は、駐車場通用扉（図示なし）の電気錠を解錠するようになっている。
【００２６】
住戸インターホン１１と制御装置１４はデジタル式のインターホン回線１７によって接続されており、そこでは送信先、送信元のアドレスを指定した信号伝送が行われる。プロトコルの物理レイヤは任意であるが、本発明のためには論理レイヤでＴＣＰ／ＩＰを利用できるとよい。この場合、住戸インターホン１１のそれぞれには、固有のグローバルＩＰアドレスあるいはローカルＩＰアドレスが割り当てられる。また、制御装置１４とロビーインターホン１２あるいは管理人室機１３との信号伝送も同様である。なおインターホン回線１７は、一般的なツイストペアケーブルを用いればよいが、専用ケーブルを用いてもよい。インターホン回線１７は少なくとも、設置されているロビーインターホン１２の全てが、その通信相手の住戸インターホン１１との間で映像および音声を支障なく伝送できるだけの通信帯域を有する。
【００２７】
メール送信サーバ装置２１は、住戸識別情報に対応させて通信端末２２のメールアドレスが予め登録されている。そしてゲートウェイ装置１５から帰宅者画像ファイルを受信すると、付加されている住戸識別情報を判別して、帰宅者画像ファイルを参照させるための通知メールを自動的に生成して、対応した通信端末２２のメールアドレス宛に送信する。
【００２８】
通信端末２２は、携帯電話機やパソコンなどであって、広域ネットワーク２０に無線または有線で接続しており、メール送信サーバ装置２１が送信した通知メールを、図示しないメールサーバを介して受信する。
【００２９】
次いで、インターホンシステム１の基本動作を説明する。
【００３０】
インターホンシステム１における呼出、通信制御の基本機能、動作は従来システムと同様である。すなわちロビーインターホン１２で住戸番号を指定した呼出操作がなされると、制御装置１４によって、指定された住戸の住戸インターホン１１が呼び出される。呼び出された住戸インターホン１１は、チャイム音によって呼出報知する。そして住戸インターホン１１で通話キー１１ｄが操作されると、制御装置１４は、住戸インターホン１１とロビーインターホン１２との間に排他的な通話チャンネルを構成して、訪問者と住戸人との通話を許可する。その後、通話キー１１ｄが再操作されたとき、あるいは所定時間が経過したときに、その通話チャンネルは開放される。なお、ロビーインターホン１２が複数ある場合は、それぞれの通話チャンネルは排他的に制御される。
【００３１】
更にロビーインターホン１２で呼出操作がなされてから通話チャンネルが解放されるまでの間、ロビーインターホン１２のカメラ１２ｅが撮影した映像を住戸インターホンで表示するため、排他的な映像チャンネルが構成される。このようにすれば、訪問者の映像を住戸インターホン１１でモニタしながら対応できる。
【００３２】
また、インターホンシステム１は、集合住宅の警報監視システムとしても機能しており、その動作も従来と同様である。すなわち、住戸インターホン１１は、セキュリティセンサが異常発生を検知すると、モニタ画面１１ｂに警報画面を表示すると共に、スピーカ１１ｅから警報メッセージを出力する。また、住戸インターホン１１は、異常発生を管理人室機１３に通知する。管理人室機１３は、その通知を受信すると、警報を出力する。その後、管理人の操作に応じて、異常発生を通知してきた住戸インターホン１１や、その近隣の住戸インターホン１１から、避難メッセージなどを出力させることもできる。また、防災センターなどに異常発生を移報することもできる。
【００３３】
また本発明の特徴的な構成として、ロビーインターホン１２が撮影した帰宅者画像を、住戸インターホン１１、インターホン回線１７およびゲートウェイ装置１５を通じて、メール送信サーバ装置２１に転送し、携帯電話機などに通知メールによって通知して、その帰宅者画像を閲覧できるようにしている。このようにすれば、住棟の全部屋の住戸インターホン１１によってゲートウェイ装置１５が利用されるので、広域ネットワーク２０に接続するアダプタなどを部屋毎に設ける必要がなく、コストが抑えられる。
【００３４】
具体的には、住戸人がロビーインターホン１２に付設されている認証操作部１６ａで認証操作を行うと、認証装置１６はその住戸人を認証してロビー扉の電気錠を解錠すると共に、認証情報を制御装置に伝送する。この認証情報を受けた制御装置はロビーインターホン１２に所定の制御信号を送信する。その制御信号によって、ロビーインターホン１２はカメラ１２ｅを作動させ、その映像信号から帰宅者画像ファイルを生成して、インターホン回線１７を通じて住戸インターホン１１に送信する。
【００３５】
住戸インターホン１１は、その帰宅者画像ファイルを受信すると、そのファイルに住戸識別情報を付加してインターホン回線１７に出力して、ゲートウェイ装置１５に一時記憶させる。なお住戸インターホン１１は、ロビーインターホン１２から帰宅者画像ファイルを受信すると、在宅または留守モードを判別して、留守モードであれば、帰宅者画像ファイルを、ゲートウェイ装置１５によってメール送信サーバ装置２１に送信させる。このようにすれば、通信端末２２に無駄な通知メールが送信されずに済む。
【００３６】
なお在宅または留守モードで帰宅者画像ファイルを送信するか否かを決定するという構成は、帰宅者画像ファイルをロビーインターホン１２から住戸インターホン１１を経由してゲートウェイ装置１５に伝送することで可能になる。
【００３７】
また帰宅者画像ファイルに付加される住戸識別情報は、固有の住戸番号でもよいが、グローバルＩＰアドレス、ローカルＩＰアドレスでも構わない。また、帰宅者画像ファイルには、住戸人が所持する認証媒体の番号などが更に付加されていてもよい。
【００３８】
ゲートウェイ装置１５は、インターホン回線１７から帰宅者画像ファイルの細分化された各片を全て受信して１ファイルに組み立てて一時記憶した後、そのファイルを広域ネットワーク２０上のメール送信サーバ装置２１に送信する。このとき必要であれば、ＩＰアドレス変換なども行う。広域ネットワーク２０がインターネットであれば、ゲートウェイ装置１５は、ＴＣＰ／ＩＰに従ってメール送信サーバ装置２１との接続を確立した後、帰宅者画像ファイルを複数のパケットに分割した各パケットにメール送信サーバ装置２１のグローバルＩＰアドレスを付加して、広域ネットワーク２０に出力する。
【００３９】
広域ネットワーク２０での通信の概要は次のようなものである。すなわちネットワークは、複数のプロバイダ（ＬＡＮ）の集合体であって、プロバイダでは、各ホストにゲートウェイ情報が設定され、ゲートウェイであるルータ（ゲートウェイ）にはルート情報が設定されている。したがっていずれかのプロバイダの送信元ホストから発信されたパケットは、ゲートウェイ情報で指定されたルータを通じて、隣接した別のプロバイダに転送され、そして、その転送を受けたプロバイダのルータは、そこに設定されているルート情報に従って、更に別のプロバイダにパケットを転送するというように、プロバイダ間のパケット転送が繰り返される。このようにして、送信元ホストが発信したパケットは、複数のプロバイダを経由して、最終的には特定のプロバイダに属する送信先ホストに到達する。ゲートウェイ装置１５とメール送信サーバ装置２１との接続を確立するためのパケット、帰宅者画像ファイルを分割したパケットもこの仕組みによって伝送される。
【００４０】
メール送信サーバ装置２１は、図４に示しているようなテーブル形式で、住戸番号と、通信端末２２のメールアドレスとを関連付けて記憶している。そして、帰宅者画像ファイルを受信するとそのファイルを保存すると共に、付加されている住戸識別情報に対応したメールアドレスを特定し、特定したメールアドレスを付加した所定形式の通知メールを自動的に生成して広域ネットワーク２０に出力する。この通知メールも、上記の仕組みによって、そのメールアドレス宛のメールを蓄積するメール送信サーバ装置２１に到着して保存され、その後、そのメールアドレスを有した通信端末２２によってダウンロードされる。
【００４１】
通知メールは、帰宅者画像ファイルを添付ファイルとして含んでいてもよいし、帰宅者画像ファイルを参照するためのリンクを含んでいてもよい。
【００４２】
なお上記においてロビーインターホン１２、住戸インターホン１１は、帰宅者画像ファイルを伝送する際には、そのファイルを細分化し時間的に分散させてインターホン回線１７に出力するとよい。つまりインターホン回線１７には、図５に示すように、住戸インターホン１１とロビーインターホン１２との通話処理のために映像、通話信号のストリームが伝送される。そのため、その伝送を阻害しないように、帰宅者画像ファイルの伝送では、ファイルを細分化した各片を所定の時間間隔で伝送させて、通信帯域を抑えるとよい。このようにすれば、通話処理中に音声や映像が途切れるなどの現象が防止できる。
【００４３】
図６は、通知メールの例であり、帰宅通知という表題で、日時情報と、３枚の帰宅者画像を含んでいる。また認証装置１５が認証した認証媒体の番号として、キーナンバーも含んでいる。
【００４４】
図７は、インターホンシステム１の基本動作を示すフロー図である。時刻Ｔ１では、住戸インターホン１１で留守モード操作がされている。
【００４５】
時刻Ｔ２では、ロビーインターホン１２に付設された認証操作部１６ａで認証操作によって認証装置１６が住戸人を認証してロビー扉の電気錠が解錠されると共に、認証情報が制御装置に伝送されている。
【００４６】
時刻Ｔ３では、ロビーインターホン１２は、制御装置１４の制御に従ってカメラ１２ｅを作動させて、その映像信号から帰宅者画像ファイルを生成し、そのファイルを認証情報と共に住戸インターホン１１に送信している。
【００４７】
時刻Ｔ４では、住戸インターホン１１は、ロビーインターホン１２から帰宅者画像ファイルを受信すると、留守モードを判別し、帰宅者画像ファイルに住戸識別情報を付加して、インターホン回線１７を通じてゲートウェイ装置１５に送信している。なお、住戸インターホン１１が留守モードではなく、在室モードを判別した場合は、それ以降の動作は行われない。
【００４８】
時刻Ｔ５では、ゲートウェイ装置１５は、インターホン回線１７によって送信されてきた帰宅者画像ファイルを一時記憶し、広域ネットワーク２０を通じてメール送信サーバ装置２１に送信している。時刻Ｔ６では、メール送信サーバ装置２１は、送信されてきた帰宅者画像ファイルを保存して、付加されている住戸識別情報を判別して、対応した通信端末２２に通知メールを送信している。
【００４９】
時刻Ｔ７では、通信端末２２は、その通知メールを受信しており、メールに含まれたリンクを操作することで、帰宅者画像ファイルをメール送信サーバ装置２１に要求し、時刻Ｔ８では、返信されてきた帰宅者画像ファイルを表示している。
【符号の説明】
【００５０】
１      インターホンシステム
１１      住戸インターホン
１１ｇ    モード操作部
１１ｉ    画像送信部
１２      ロビーインターホン
１２ｅ    カメラ
１２ｆ    画像生成部
１５      ゲートウェイ装置
１６      認証装置
１６ａ    認証操作部
１７      インターホン回線
２０      広域ネットワーク
２１      メール送信サーバ装置
２２      通信端末
【図１】
0005796220.tif 000002
【図２】
0005796220.tif 000003
【図３】
0005796220.tif 000004
【図４】
0005796220.tif 000005
【図５】
0005796220.tif 000006
【図６】
0005796220.tif 000007
【図７】
0005796220.tif 000008